(57)【要約】【課題】エネルギー消費量を抑えつつ、短時間で効率的に乾燥を行うことができる遠赤外線穀物乾燥機を提供する。【解決手段】貯留槽、通風乾燥部、繰出し部、及び取出し部を重設し、繰出し部及び取出し部の左右に熱風供給室及び排風室が配設された遠赤外線穀物乾燥機において、繰出し部を形成する山形状仕切壁の構造を、頂部と底部とを備える筒形状を有し、前記底部に開口を備え、長さ方向端部が機外に連通するものとするか、取出し槽と排風室との間に、一端が取出し槽の上部において該取出し槽内に連通するとともに他端が機外に連通する外気取込み通路を配設する。【選択図】  図１
2018146133.tif 000002
【特許請求の範囲】
【請求項１】
前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機であって、
前記山形状仕切壁が、頂部と底部とを備える筒形状を有し、前記底部に開口を備え、長さ方向端部が機外に連通するように構成されたことを特徴とする遠赤外線穀物乾燥機。
【請求項２】
前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機であって、
前記取出し槽と前記排風室との間に、一端が前記取出し槽の上部において該取出し槽内に連通するとともに他端が機外に連通する外気取込み通路が配設されたことを特徴とする遠赤外線穀物乾燥機。
【請求項３】
前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機であって、
前記山形状仕切壁が、頂部と底部とを備える筒形状を有し、前記底部に開口を備え、長さ方向端部が機外に連通するように構成されるとともに、
前記取出し槽と前記排風室との間に、一端が前記取出し槽の上部において該取出し槽内に連通するとともに他端が機外に連通する外気取込み通路が配設されたことを特徴とする遠赤外線穀物乾燥機。
【発明の詳細な説明】
【技術分野】
【０００１】
本発明は、遠赤外線穀物乾燥機に関する。
【背景技術】
【０００２】
乾燥機本体内上部に張り込まれた穀物を下方に送りながら遠赤外線を照射して乾燥させる穀物乾燥機が実用化されている（特許文献１〜３）。
前記穀物乾燥機では、遠赤外線放射体を加熱することで遠赤外線を発生させており、加熱に要するエネルギーの消費量を抑えて乾燥を効率的に行うために、種々の対策が講じられている。例えば、特許文献１には、燃焼装置で遠赤外線放射体を加熱する穀物乾燥機において、遠赤外線放射体からの排熱を熱風として被乾燥穀物に浴びせることが記載されている。また、特許文献２には、遠赤外線放射体として、一端部にバーナが連結され、前記バーナによって加熱されて遠赤外線を放射する主管と、前記主管の他端部に連結されると共に、前記主管の上方近傍に並行配置され、前記主管からの熱風によって加熱されて遠赤外線を放射する副管とを有し、前記副管の前記主管に対向する側壁に前記主管の側壁の側へ向いて開口する排気口を複数設けた遠赤外線放射体を用い、主管及び副管を加熱したバーナからの排風を副管の排気口から主管の外周面に浴びせて主管を加熱することが記載されている。また、特許文献３には、乾燥室内に配置した遠赤外線ヒーターを、穀物の張込量に応じてＯＮ、ＯＦＦ制御することが記載されている。
【先行技術文献】
【特許文献】
【０００３】
【特許文献１】特開平８-１４７４５号公報
【特許文献２】特開２００１−３３１５７号公報
【特許文献３】特開２００６-３４３０６２号公報
【発明の開示】
【発明が解決しようとする課題】
【０００４】
特許文献１〜３では、前記各対策により、一定の省エネルギー効果及び乾燥効率向上効果は得られているが、更なる省エネルギーと乾燥効率の向上とが求められている。
そこで本発明は、エネルギー消費量を抑えつつ、短時間で効率的に乾燥を行うことができる遠赤外線穀物乾燥機を提供することを課題とする。
【課題を解決するための手段】
【０００５】
前記課題を解決するために種々の検討を行った結果、本発明者は、貯留槽、通風乾燥部、繰出し部、及び取出し部を重設し、繰出し部及び取出し部の左右に熱風供給室及び排風室が配設された遠赤外線穀物乾燥機において、繰出し部を形成する山形状仕切壁の構造を、頂部と底部とを備える筒形状を有し、前記底部に開口を備え、長さ方向端部が機外に連通するものとすることで、並びに／又は取出し槽と排風室との間に、一端が取出し槽の上部において該取出し槽内に連通するとともに他端が機外に連通する外気取込み通路を配設することで、前記課題が解決できることを見出し、本発明を完成するに至った。
【０００６】
すなわち本発明は、上記課題を解決するために、前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機において、
（１）前記山形状仕切壁を、頂部と底部とを備える筒形状を有し、前記底部に開口を備え、長さ方向端部が機外に連通するように構成する、
（２）前記取出し槽と前記排風室との間に、一端が前記取出し槽の上部において該取出し槽内に連通するとともに他端が機外に連通する外気取込み通路を配設する、
（３）前記山形状仕切壁を、頂部と底部とを備える筒形状を有し、前記底部に開口を備え、長さ方向端部が機外に連通するように構成するとともに、前記取出し槽と前記排風室との間に、一端が前記取出し槽の上部において該取出し槽内に連通するとともに他端が機外に連通する外気取込み通路を配設する、
のいずれかの手段を採用する。
【発明の効果】
【０００７】
本発明によれば、エネルギー消費量を抑えつつ、短時間で効率的に乾燥を行うことができる遠赤外線穀物乾燥機を提供できる。
【図面の簡単な説明】
【０００８】
【図１】本発明の一実施形態に係る遠赤外線穀物乾燥機の正面図
【図２】本発明の一実施形態に係る遠赤外線穀物乾燥機の側面図
【図３】本発明の一実施形態に係る遠赤外線穀物乾燥機に用いられる山形状仕切壁の斜視図
【図４】図３に示す山形状仕切壁の底部に設ける開口の形状の一例を示す模式図
【図５】図３に示す山形状仕切壁の底部に設ける開口の形状の他の一例を示す模式図
【図６】図３に示す山形状仕切壁の底部に設ける開口の形状の更に他の一例を示す模式図
【発明を実施するための形態】
【０００９】
以下、本発明の実施形態を詳細に説明するが、本発明は該実施形態に限定されるものではない。また、以下に述べる作用機構については推定を含んでおり、その正否は、本発明を制限するものではない。
【００１０】
本発明において、「前後方向」とは、乾燥機本体を上面視したときの長辺方向を意味し、「左右方向」とは、乾燥機本体を上面視したときの前記「前後方向」と直交する方向を意味する。
【００１１】
本発明の一実施形態に係る遠赤外線穀物乾燥機（以下、「本実施形態」と記載する）は、図１、２に示すとおり、前後方向に長い乾燥機本体１内に、被乾燥穀物を貯留する貯留槽２と、該貯留槽２から供給される被乾燥穀物に熱風を当てて乾燥する通風乾燥部３と、前記乾燥機本体１内の前後方向に延びるとともに断面形状が山形である山形状仕切壁４を乾燥機本体１内の左右方向に複数並べて形成され、前記通風乾燥部３から被乾燥穀物を下方に繰り出す繰出し部５と、該繰出し部５から繰り出された被乾燥穀物を機外に取り出す取出し槽６とが重設され、さらに前記乾燥機本体１内において前記繰出し部５及び前記取出し槽６に対して左右いずれかに配設され、前記通風乾燥部３に熱風を供給する熱風供給室７と、前記乾燥機本体１内において前記繰出し部５及び前記取出し槽６に対して前記熱風供給室７とは左右逆側に配設され、前記通風乾燥部３を通過した排風を機外に排出する排風室８と、前記取出し槽６内に配設された、筒形状を有し、一端部に燃焼装置９が連結され、該燃焼装置９での加熱により遠赤外線を放射する遠赤外線放射体１０とを備える。
そして、前記取出し槽６は、乾燥された穀物を受ける排出樋１１と該排出樋１１の内部に回転自在に横架された搬出スクリュー１２とを底部に備え、前記排出樋１１の一端は、搬出スクリュー１２によって搬出される穀物を前記貯留槽２へと運ぶ循環用昇降機１３と接続されている。
【００１２】
本実施形態においては、通風乾燥部３は、一端が熱風供給室７と接続され、他端が先止め状とされ、側面が通風性とされた熱風通路３ａと、一端が排風室８と接続され、他端が先止め状とされ、側面が通風性とされた排風通路３ｂとが所定の間隔で交互に複数配置されることで、前記熱風通路３ａと排風通路３ｂとの間に乾燥通路３ｃを形成した構造を有する。該構造とすることで、被乾燥穀物に効率的に熱風を当てることができる。また、前記乾燥通路３ｃと前記山形状仕切壁４とが直交するため、通過する被乾燥穀物の流れが変向して交差流下することとなり、乾燥ムラ及び流下ムラを無くして均一に乾燥させることができる。
【００１３】
本実施形態においては、被乾燥穀物は、貯留槽２内に張り込まれ、通風乾燥部３へと供給されて、乾燥通路３ｃ内で熱風を受けて乾燥され、次いで繰出し部５から取出し槽６へと供給され、そこで遠赤外線放射体１０から放射される遠赤外線を受けてさらに乾燥された後に排出樋１１に集められ、搬出スクリュー１２によって搬出されて循環用昇降機１３により再度貯留槽２に運ばれることを繰り返し、所期の水分量に調整される。
【００１４】
このとき、熱風供給室７から送風される熱風は、熱風通路３ａを経て乾燥通路３ｃに導入され、そこで被乾燥穀物に当てられた後、排風通路３ｂから排風室８を経て機外へと排出される。
【００１５】
本実施形態においては、山形状仕切壁４が、頂部４ａと底部４ｂとを備える筒形状を有し、前記底部４ｂに開口４ｃを備え、長さ方向端部が機外に連通するように構成されるか、取出し槽６と前記排風室８との間に、一端が取出し槽６の上部において該取出し槽６内に連通するとともに他端が機外に連通する外気取込み通路１４が配設される。前記構造のいずれかを備えていれば、省エネルギーと乾燥効率向上の効果は得られるが、前記構造を共に有することが、より大きな効果が得られる点で好ましい。
【００１６】
前記構造を有する山形状仕切壁４について、図３〜６を用いて説明する。
この山形状仕切壁４は、図３に示すように、頂部４ａと底部４ｂとを備える筒形状を有し、前記底部４ｂに開口４ｃを備える。そして、その長さ方向端部が機外に連通するように乾燥機本体内に配設される。
前記開口４ｃの位置は特に限定されず、幅方向両端部、幅方向中央部、及び底部の重心等に設けることができる。また、その形状についても特に限定されず、スリット形状、矩形状を含む多角形状、円形状及び楕円形状等の種々の形状が採用できる。また、前記開口４ｃの寸法も特に限定されず、底部４ｂ内の位置によって開口の大きさ（スリット幅や孔径等）が変化するものであってもよい。
前記開口４ｃの例としては、図４に示すような、幅方向両端部近傍に設けたスリット、図５に示すような、幅方向両端部近傍に連設した複数の丸孔、及び図６に示す幅方向中央近傍に設けたスリット等が挙げられる。
【００１７】
前記構造を有する山形状仕切壁４は、乾燥機の動作中、機外に連通する端部から外気を取り込み、内部に溜まった余熱で該外気を加熱して、前記開口４ｃから通風乾燥部３に供給するように作用する。このため、通風乾燥部３における被乾燥穀物の乾燥が促進される。
【００１８】
前記乾燥促進作用を大きくするために、山形状仕切壁４の頂部４ａは通気性を有さないことが好ましい。頂部４ａは通気性を有する場合、取り込まれた外気が十分に熱交換することなく通風乾燥部３に供給され、被乾燥穀物の乾燥促進効果が不十分となる恐れがある。
【００１９】
次に、本実施形態における外気取り込み通路１４について、図１を用いて説明する。
外気取込み通路１４は、乾燥機の動作中、機外に連通する下端部から外気を取り込み、内部に溜まった余熱で該外気を加熱して取出し槽６の上部に供給するように作用する。このようにして加熱・供給された外気は、繰出し部５を経て通風乾燥部３に供給されることで、通風乾燥部３における被乾燥穀物の乾燥を促進する。
【００２０】
以上説明した構成の他、本実施形態においては、遠赤外線放射体１０からの排熱を有効利用するために、遠赤外線放射体１０から排出される熱風を熱風供給室７に導入する配管や、遠赤外線放射体１０から排出される熱風と機内に取り入れる外気との熱交換を行う熱交換器等を設けてもよい。
【実施例】
【００２１】
以下、実施例をもって本発明を具体的に説明する。
【００２２】
実施例として、図１、２に示す遠赤外線穀物乾燥機を用いて、籾乾燥試験を行った。山形状仕切壁４としては、図４に示す、スリット状の開口４ｃが設けられたものを使用した。
他方、比較例として、開口４ｃのない山形状仕切壁４を使用し、外気取込み通路１４を設けていない遠赤外線乾燥機を使用し、実施例と同種同量の籾の乾燥試験を行った。
試験の結果、実施例では、比較例に比べて、目標水分量に達するまでの時間が短縮するとともに、燃焼装置の燃料消費量が低減した。
【産業上の利用可能性】
【００２３】
本発明によれば、余熱を利用してエネルギー効率を高めることで、エネルギー消費量を抑えつつ、短時間で効率的に乾燥を行うことが可能な遠赤外線穀物乾燥機を提供できる。したがって、本発明は、遠赤外線穀物乾燥機の運転コストを低減できる点で有用である。
【符号の説明】
【００２４】
１    乾燥機本体
２    貯留槽
３    通風乾燥部
３ａ  熱風通路
３ｂ  排風通路
３ｃ  乾燥通路
４    山形状仕切壁
４ａ  頂部
４ｂ  底部
４ｃ  開口
５    繰出し部
６    取出し槽
７    熱風供給室
８    排風室
９    燃焼装置
１０  遠赤外線放射体
１１  排出樋
１２  搬出スクリュー
１３  循環用昇降機
１４  外気取込み通路
【図１】
2018146133.tif 000003
【図２】
2018146133.tif 000004
【図３】
2018146133.tif 000005
【図４】
2018146133.tif 000006
【図５】
2018146133.tif 000007
【図６】
2018146133.tif 000008
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機であって、
前記山形状仕切壁が、頂部と底部とを備える筒形状を有し、前記底部に開口を備え、長さ方向端部が機外に連通するように構成され、前記遠赤外線乾燥機の動作中、前記長さ方向端部から外気を取り込み、内部に溜まった余熱で該外気を加熱して、前記開口から通風乾燥部に供給するように作用することを特徴とする遠赤外線穀物乾燥機。
【請求項２】
前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機であって、
前記取出し槽と前記排風室との間に、一端が前記取出し槽の上部において該取出し槽内に連通するとともに他端が機外に連通する外気取込み通路が配設されたことを特徴とする遠赤外線穀物乾燥機。
【請求項３】
前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機であって、
前記山形状仕切壁が、頂部と底部とを備える筒形状を有し、前記底部に開口を備え、長さ方向端部が機外に連通するように構成され、前記遠赤外線乾燥機の動作中、前記長さ方向端部から外気を取り込み、内部に溜まった余熱で該外気を加熱して、前記開口から通風乾燥部に供給するように作用するとともに、
前記取出し槽と前記排風室との間に、一端が前記取出し槽の上部において該取出し槽内に連通するとともに他端が機外に連通する外気取込み通路が配設されたことを特徴とする遠赤外線穀物乾燥機。
【手続補正２】
【補正対象書類名】明細書
【補正対象項目名】０００６
【補正方法】変更
【補正の内容】
【０００６】
すなわち本発明は、上記課題を解決するために、前後方向に長い乾燥機本体内に、被乾燥穀物を貯留する貯留槽と、該貯留槽から供給される被乾燥穀物に熱風を当てて乾燥する通風乾燥部と、前記乾燥機本体内の前後方向に延びるとともに断面形状が山形である山形状仕切壁を乾燥機本体内の左右方向に複数並べて形成され、前記通風乾燥部から被乾燥穀物を下方に繰り出す繰出し部と、該繰出し部から繰り出された被乾燥穀物を機外に取り出す取出し槽とが重設され、さらに前記乾燥機本体内において前記繰出し部及び前記取出し槽に対して左右いずれかに配設され、前記通風乾燥部に熱風を供給する熱風供給室と、前記乾燥機本体内において前記繰出し部及び前記取出し槽に対して前記熱風供給室とは左右逆側に配設され、前記通風乾燥部を通過した排風を機外に排出する排風室と、前記取出し槽内に配設された、筒形状を有し、一端部に燃焼装置が連結され、該燃焼装置での加熱により遠赤外線を放射する遠赤外線放射体とを備える遠赤外線穀物乾燥機において、
（１）前記山形状仕切壁を、頂部と底部とを備える筒形状を有し、前記底部に開口を備え、長さ方向端部が機外に連通するように構成し、前記遠赤外線乾燥機の動作中、前記長さ方向端部から外気を取り込み、内部に溜まった余熱で該外気を加熱して、前記開口から通風乾燥部に供給するように作用させる
（２）前記取出し槽と前記排風室との間に、一端が前記取出し槽の上部において該取出し槽内に連通するとともに他端が機外に連通する外気取込み通路を配設する、
（３）前記山形状仕切壁を、頂部と底部とを備える筒形状を有し、前記底部に開口を備え、長さ方向端部が機外に連通するように構成し、前記遠赤外線乾燥機の動作中、前記長さ方向端部から外気を取り込み、内部に溜まった余熱で該外気を加熱して、前記開口から通風乾燥部に供給するように作用させるとともに、前記取出し槽と前記排風室との間に、一端が前記取出し槽の上部において該取出し槽内に連通するとともに他端が機外に連通する外気取込み通路を配設する、
のいずれかの手段を採用する。